(57)【要約】      （修正有）【課題】モデルガンの手動／電動制御構造を提供する。【解決手段】制御部は、引き金１１、制御棒、押抵板１３、ブレーキ１４、スライド棒１５、定位板１６、引き金ノブ、電源スイッチにより構成し、伝動部は、ガンロックスリーブ２１、ピストン２２、バネ２３、２４、ピストン定位板２５、ストッパー片２６、挟合片２７、小伝動ギア、大伝動ギア２９により構成し、モーターは直流電源と接合し、制御部、伝動部、モーターを、左、右本体部内に順番に嵌設、さらに引き金ノブを右本体部外部から制御部の押抵板１３と螺合させ、これによりモーターと直流電源は通電し、引き金ノブを利用し押抵板１３を駆動し、対応する制御棒を押し、或いは連動を離れさせ、並びにスライド棒と定位板１６の作動を対応させ、手動、電動共に発射可能なモデルガン構造を構成する。【選択図】図１
0003147511.tif 000002
【実用新案登録請求の範囲】
【請求項１】
本体、制御部、伝動部、モーターにより構成し、
前記本体は、左、右本体部、ガン管、モーター定位板、多数の軸棒、左、右電池槽、２枚のガード板、スライド道により構成し、
前記制御部は、引き金、制御棒、押抵板、ブレーキ、スライド棒、定位板、引き金ノブ、電源スイッチにより構成し、
前記伝動部は、ガンロックスリーブ、ピストン、バネ、定位板、ストッパー片、挟合片、小伝動ギア、大伝動ギアにより構成し、
前記モーターは直流電源と接合し、
前記制御部、前記伝動部、前記モーターを、前記左、右本体部内に順番に嵌設、さらに前記引き金ノブを前記右本体部外部から前記制御部の前記押抵板と螺合させ、これにより前記モーターと直流電源は通電し、前記引き金ノブを利用し前記押抵板を駆動し、対応する制御棒を押し、或いは連動を離れさせ、並びに前記スライド棒と前記定位板の作動を対応させ、手動、電動共に発射可能なモデルガン構造を構成することを特徴とするモデルガンの手動／電動制御構造。
【請求項２】
前記引き金の前半に近い上方には、凸柱を設置し、対応するバネを嵌設、前記凸柱下方に近い隣接位置には、柱棒を設置しバネを嵌設、後半は延伸し順番に傾斜部、フランジ、十字槽レールを設置し、しかも前記十字槽レール下方には、貫通状の挿入孔を設置することを特徴とする請求項１に記載のモデルガンの手動／電動制御構造。
【請求項３】
前記制御棒一端は上方へと湾曲し、外側には上凹部を設置し、下方へと延伸し下凹部を設置し、反対端へと延伸する頚部位置には、上方へと向かう斜面を設置し、この後、さらに延伸し、片側へと向かい凸部を設置し、しかも反対端の末端には端面を形成することを特徴とする請求項１に記載のモデルガンの手動／電動制御構造。
【請求項４】
前記押抵板には、孔を設置し、ネジを貫通させ設置し、前記押抵板は径方向に上方へと延伸し、凸部を形成し、その下方にはフック部を設置し、バネを掛け、設置することを特徴とする請求項１に記載のモデルガンの手動／電動制御構造。
【請求項５】
前記ブレーキ下方には、貫通孔を備える軸部を設置し、前記軸部外周縁はガード板を延伸し、ガード板末端の片側には、凸部を設置し、これにバネを嵌設することを特徴とする請求項１に記載のモデルガンの手動／電動制御構造。
【請求項６】
前記スライド棒の下端には、凹縁を陥没状に設置することを特徴とする請求項１に記載のモデルガンの手動／電動制御構造。
【請求項７】
前記定位板中央辺りの適当な位置には、凹部を設置し、背面側にはスライド槽と凸部を設置し、しかも前記凸部にはバネを掛け、設置することを特徴とする請求項１に記載のモデルガンの手動／電動制御構造。
【請求項８】
前記ガンロックスリーブ内部には、貫通状の槽孔を形成し、末端の開放口壁の縁には、スライド槽を設置し、先端には出口端を設置し、しかも管体両側には水平に翼板を設置し、前記翼板の片側のスライド槽に近い位置には、ストッパー部を設置し、管体の槽孔開口端に近い上方には、突起を設置し、しかも前記突起には貫通状の孔を設置することを特徴とする請求項１に記載のモデルガンの手動／電動制御構造。
【請求項９】
前記ピストンは、ガンロックスリーブの管体構造に対応し、その内部には、未貫通の槽孔を形成し、しかも管体下方には、スライド板を水平に一体成型し、前記スライド板片側の中央部分には側歯部を設置し、その下方には下歯部を設置し、前記槽孔の開口端に近い位置には、凸部を設置し、これにより前記ガンロックプルレバーと対応し結合し、前記ガンロックプルレバー片側には、長孔と凸部を設置することを特徴とする請求項１に記載のモデルガンの手動／電動制御構造。
【請求項１０】
前記定位板片側には、２個の柱体を設置し、バネは、前記柱体に嵌設後、前記槽孔内に挿入設置され、バネは、前記柱体に嵌設、バネを嵌設した柱体は、前記ガンロックスリーブの突起の孔に嵌設されることを特徴とする請求項１に記載のモデルガンの手動／電動制御構造。
【請求項１１】
前記ストッパー片上端には、凸部を設置し、前記凸部にはバネを嵌設、前記凸部下方には、屈折状の湾部を設置し、しかも前記ストッパー片下端の一角には、斜角を設置することを特徴とする請求項１に記載のモデルガンの手動／電動制御構造。
【請求項１２】
前記小伝動ギア一端の周縁には、前歯部を形成し、反対端は径方向に拡大し円形板体を形成し、その下方には後歯部を形成することを特徴とする請求項１に記載のモデルガンの手動／電動制御構造。
【請求項１３】
前記大伝動ギアの拡大部には、歯部を形成し、軸の根元に近い位置には伝動歯部を設置し、しかもその横には凸部を突出状に設置し、その軸の中心には、軸孔を貫通状に設置することを特徴とする請求項１に記載のモデルガンの手動／電動制御構造。
【考案の詳細な説明】
【技術分野】
【０００１】
本考案はモデルガンの手動／電動制御構造に関し、特に手動或いは電動で駆動可能なモデルガンの手動／電動制御構造に関する。
【背景技術】
【０００２】
現在一般的に目にするＰＰ（ポリプロピレン）材質の弾を発射可能なモデルガンには、手動式、気動式、電動式がある。電動式構造は、モーターによりモデルガンのガンロックピストンの往復作動を連動し、ガンロックに迅速な作動を提供し、これによりピストンが空気を圧縮し、ＰＰ弾を外へと発射する動力を発生するものである。手動式構造は、圧縮を受けたバネが伸張する時に発生する弾力により、ピストンを押し高圧空気を発生させ、ＰＰ弾を外へと発射するものである。上記した両者は動力源が異なるため、構造においてもはっきりとした差異がある。
【０００３】
手動式モデルガンの構造において、比較的簡易なものは、手で引く方式によりピストンを連動しバネを圧縮するが、この種の構造は、単発射撃の機能しか備えず、使用においては面白みに欠ける。一方、電動式モデルガンの構造においては、伝動機構を経て電動モーターによりピストンを連動しバネを圧縮するが、切り替えにより、単発射撃と連続射撃の機能を同時に備え、使用においてより高い面白みを備える。しかし、現在市販されているモデルガン製品では、手動式、気動式、或いは電動式共に、その駆動方式の多くは単一形態で、手動駆動と電動駆動を兼ね備える構造は極めて少ない。そのため、電動式においては、電力を使い切ってしまえば使用不能となり、これが市場における競争力向上のネックとなっている。
【考案の開示】
【考案が解決しようとする課題】
【０００４】
本考案が解決しようとする主要な課題は、手動或いは電動の異なる駆動方式を兼ね備え、これにより使用上のバリエーションを増進し、面白みを拡大することができるモデルガンの手動／電動制御構造を提供することである。
【課題を解決するための手段】
【０００５】
上記課題を解決するため、本考案は下記のモデルガンの手動／電動制御構造を提供する。
モデルガンの手動／電動制御構造は本体、制御部、伝動部、モーターを備える。
該本体は左、右本体部、ガン管、モーター定位板、複数の軸棒、左、右電池槽、２枚のガード板、スライド道により構成する。
該制御部は、引き金、制御棒、押抵板、ブレーキ、スライド棒、定位板、引き金ノブ、電源スイッチにより構成する。
該伝動部は、ガンロックスリーブ、ピストン、バネ、定位板、ストッパー片、挟合片、２個の伝動ギアにより構成する。
該モーターは、直流電源と接続する。
該制御部、該伝動部、該モーターは順番に該左、右本体部内に嵌設、さらに、該ガンロックノブを右本体部の外部から、該制御部の押抵板と相互に螺合し、該モーターと直流電源を通電させる。
該ガンロックノブを利用し、押抵板を駆動し、対応する制御棒を押し、或いは連動を外し、これにスライド棒と定位板の作動を対応させることで、使用者が引き金を引くと、モデルガンを制御し、電動連続発射、或いは手動単一発射を選択することができ、このようにして手動、電動共に発射可能とする。
【考案の効果】
【０００６】
本考案は、電動でモーターを駆動し、プラスチック弾丸を瞬間的に発射することができ、さらに電力を使い切ってしまった時には、手動方式に切り換えることができる。この際には、ピストンは予め復位させたバネの弾力作用を受け、ガンロックスリーブ内の空気を急速に圧縮し発射し、手動による発射制御を達成することができる。
【考案を実施するための最良の形態】
【０００７】
以下に図面を参照しながら本考案を実施するための最良の形態について詳細に説明する。図１は、本考案第一実施形態によるモデルガンの手動／電動制御構造において、組合せ後の構造を示す立体断面図であり、図２は、本考案第一実施形態によるモデルガンの手動／電動制御構造において、構造を示す立体分解図であり、図３から図５は、本考案第一実施形態によるモデルガンの手動／電動制御構造において、組合せ後の手動制御構造を示す断面概略図（一）、（二）、（三）である。図に示すように、本考案第一実施形態によるモデルガンの手動／電動制御構造は、本体３、制御部１、伝動部２、モーター４により構成する。本体３は、左、右本体部３ａ、３ｂにより構成し、出口端にはガン管３１を嵌設する。左、右本体部３ａ、３ｂ内部の後半に近い位置には、２個のモーター定位板３２ａ、３２ｂを対応状に設置し、しかも、その接合位置には、凹部３２１ａ、３２１ｂを陥没状に設置する。２個のモーター定位板３２ａ、３２ｂは上方へと延伸し、２個のスライド部３２２ａ、３２２ｂを水平に設置する。多数の軸棒３３、３４は、軸台槽３４１内に挿入し設置し、しかも左、右本体部３ａ、３ｂは下方へと延伸し、左、右電池槽３５ａ、３５ｂを備え、左、右電池槽３５ａ、３５ｂはグリップとなる。左、右本体部３ａ、３ｂ内部の中央辺り位置には２枚のガード板３６ａ、３６ｂを設置し、その後上方の適当な位置には、スライド道３７ａ、３７ｂを水平に設置する。モーター定位板３２ａ、３２ｂ前方には、ガイド板３８ａ、３８ｂを水平に設置する。弾進入スライド道３１０ａ、３１０ｂ下方の適当な位置には、スライド槽３９ａ、３９ｂを設置する。このようにして本体３を構成する。
【０００８】
制御部１は、引き金１１、制御棒１２、押抵板１３、ブレーキ１４、スライド棒１５、定位板１６、引き金ノブ１７、電源スイッチ１８により構成する。平板状構造である引き金１１は、前半に近い上方に凸柱１１１を設置し、バネ１１５を嵌設する。凸柱１１１に近い下方の隣接する位置には、柱棒１１３を設置し、これにバネ１１５を嵌設する。引き金１１の後半部は延伸し、順番に傾斜部１１４、フランジ１１７、十字槽レール１１２を設置する。しかも十字槽レール１１２下方には、挿入孔１１８を貫通状に設置する。制御棒１２は、階段状を呈する棒体で、その一端は上方へと屈曲し、外側には上凸部１２１を形成する。上凸部１２１下方には、下凸部１２２を形成する。反対端へと延伸する頚部位置には、斜面１２３を形成し、さらに延伸し、片側に向かい凸部１２４を形成する。しかも、反対端の末端には、端面１２５を形成する。押抵板１３には孔１３２を設置し、ネジ１３３を貫通させ、設置する。押抵板１３は径方向に上方へと延伸し、凸部１３１を形成し、その下方にはフック部１３５を設置し、バネ１３４を掛け、設置する。ブレーキ１４下方には、貫通孔を備える軸部１４３を設置する。軸部１４３外周縁はガード板１４１を延伸する。ガード板１４１末端の片側には、凸部１４２を設置し、これにバネ１４４を嵌設する。スライド棒１５の下端には、凹縁１５１を陥没状に設置する。定位板１６の板体中央辺りの適当な位置には、凹部１６１を設置し、背面側にはスライド槽１６２と凸部１６３を設置し、凸部１６３にはバネ１６４を掛け、設置する。引き金ノブ１７の適当な位置にはネジ孔１７１を設置する。
【０００９】
伝動部２は、ガンロックスリーブ２１、ピストン２２、バネ２３、２４、定位板２５、ストッパー片２６、挟合片２７、小伝動ギア２８、大伝動ギア２９により構成する。管状を呈するガンロックスリーブ２１内部には、貫通状の槽孔２１１を形成し、末端の開放口壁の縁には、スライド槽２１１１を設置し、先端には出口端２１２を設置し、しかも管体両側には水平に翼板２１４を設置する。翼板２１４の片側のスライド槽２１１１に近い位置には、ストッパー部２１３を設置する。管体の槽孔２１１開口端に近い上方には、突起２１５を設置し、突起２１５には貫通状の孔２１５１を設置する。ピストン２２は、ガンロックスリーブ２１の管体構造に対応し、その内部には、未貫通の槽孔２２１を形成する。しかも管体下方には、スライド板２２５を水平に一体成型する。
スライド板２２５片側の中央部分には下歯部２２３を設置し、その側面には欠口２２４を設置する（図５参照）。槽孔２２１の開口端には、凸部２２２を設置し、これによりガンロックプルレバー２２６と対応し結合する。ガンロックプルレバー２２６片側には、長孔２２６１と凸部２２６２を設置する。板状の定位板２５片側には、２個の柱体２５１、２５２を設置する。バネ２３は、柱体２５１に嵌設後、槽孔２２１内に挿入設置される。バネ２４は、柱体２５２に嵌設、バネ２４を嵌設した柱体２５２は、ガンロックスリーブ２１の突起２１５の孔２１５１に嵌設される。板状のストッパー片２６上端には、凸部２６１を設置し、凸部２６１にはバネ２６４を嵌設する。凸部２６１下方には、屈折状の湾部２６３を設置する。ストッパー片２６下端の一角には、斜角２６２を設置する。板体状の挟合片２７には、階段２７１を設置する。小伝動ギア２８一端の周縁には、前歯部２８２を形成し、反対端は径方向に拡大し円形板体を形成し、その下方には後歯部２８１を形成する。大伝動ギア２９の拡大部には、歯部２９１を形成し、軸の根元に近い位置には伝動歯部２９２を設置し、しかもその横には凸部２９３を突出状に設置する。その軸の中心には、軸孔２９４を貫通状に設置する。モーター４は直流電源（ここでは直流電池を使用する）と接合し、その軸芯端には歯部４１を設置し、反対端には凸部４２を設置する。
【００１０】
組合せ時には、図１から図５に示すように、先ず、引き金１１を左、右本体部３ａ、３ｂのスライド道３７ａ、３７ｂに対応させ、嵌設する。さらに、引き金１１下方の柱棒１１３にバネ１１５を嵌設後、左、右本体部３ａ、３ｂの対応する位置において突っ張り状態で嵌設される。引き金１１上方の凸柱１１１にバネ１１５を嵌設後、制御棒１２の凸部１２４に対応し嵌設される。また、バネ１６４を定位板１６片側の柱棒１１３に掛け、これによりバネ１６４の一端は、スライド棒１５の凹縁１５１内において突っ張る。並びに、スライド棒１５を、定位板１６のスライド槽１６２中に嵌め、このようにして、定位板１６は左、右本体部３ａ、３ｂの対応する位置に挿入、設置され、しかも引き金１１上方にちょうど位置する。電源スイッチ１８は、引き金１１一端の挿入孔１１８内にちょうど嵌設され、しかも挿入孔１１８上方の十字槽レール１１２は、左、右本体部３ａ、３ｂのガイド板３８ａ、３８ｂと対応し、その上にスライド設置される。押抵板１３は、ネジ１３３により孔１３２を通り左本体部３ａを貫通後、引き金ノブ１７のネジ孔１７１と螺固、結合する。しかも凸部１３１は、制御棒１２の上凸部１２１及び下凸部１２２と対応作動し、その下方に設置するフック部１３５は、バネ１３４を掛け、設置後、左本体部３ａの対応する位置に固定される。ブレーキ１４下方の貫通孔を備える軸部１４３は、軸棒を利用し、本体３の対応する位置に嵌設される。
軸部１４３外周縁に延伸するガード板１４１は、大伝動ギア２９の歯部２９１に対応し、スライド接触する。ガード板１４１末端片側に設置する凸部１４２は、バネ１４４を嵌設後、本体３の対応する位置に設置される。
【００１１】
スライド棒１５と定位板１６背面側のスライド槽１６２は、対応しスライド状態で嵌設される。スライド棒１５の凹部１５１には、定位板１６の凸部１６３に掛かるバネ１６４が、ちょうど突っ張り、しかも定位板１６の凹部１６１は、モーター４の前軸端にちょうど嵌設される。伝動部２の管状ガンロックスリーブ２１の槽孔２１１には、ピストン２２を嵌設、槽孔２２１末端開口の壁縁のスライド槽２１１１において、ピストン２２はスライド動が可能である。しかもピストン２２内部の槽孔２２１には、バネ２３と定位板２５の柱体２５１を嵌設、他方のバネ２４は定位板２５の、他方の柱体２５２に嵌設する。この後、柱体２５２はガンロックスリーブ２１の突起２１５の孔２１５１に対応し、設置され、ガンロックスリーブ２１先端の出口端２１２は、ガン管３１に対応し設置される。ガン管３１両側に水平に設置される翼板２１４は、左、右本体部３ａ、３ｂのスライド道３７ａ、３７ｂに挿入、設置され、翼板２１４の片側のスライド槽２１１１に近い位置に突出設置するストッパー部２１３は対応する。ピストン２２の管体下方に水平に一体成型するスライド板２２５一端の凸部２２２は、本体３の外部へと伸出後、ガンロックプルレバー２２６の長孔２２６１と対応し、挿入設置する。スライド板２２５下方に位置する下歯部２２３は、大伝動ギア２９の伝動歯部２９２に対応し噛み合い、作動する（図５参照）。槽孔２２１の開口端に近い位置に設置する凸部２２２は、ガンロックプルレバー２２６と対応結合し、ガンロックプルレバー２２６片側には長孔２２６１と凸部２２６２を設置する。板状の定位板２５片側には２本の柱体２５１、２５２を設置する。柱体２５１にバネ２３を嵌設後、槽孔２２１内に挿入設置する。柱体２５２にバネ２４を嵌設後、柱体２５２は、ガンロックスリーブ２１の突起２１５に対応し、その孔２１５１に嵌設される。板状のストッパー片２６上端には凸部２６１を設置し、これにバネ２６４を嵌設する。凸部２６１下方は屈曲し湾部２６３を形成し、ストッパー片２６下端の一角には斜角２６２を設置する。板状の挟合片２７には階段２７１を設置する。小伝動ギア２８一端周縁には、前歯部２８２を形成し、反対端は径方向に拡大し円形板体を形成し、その下方には後歯部２８１を形成する。大伝動ギア２９の拡大部には、歯部２９１を形成し、軸の根元に近い位置には伝動歯部２９２を設置し、しかもその横には凸部２９３を突出状に設置する。その軸の中心には、軸孔２９４を貫通状に設置する。モーター４は直流電源（ここでは直流電池を使用する）と接合し、その軸芯端には歯部４１を設置し、反対端には凸部４２を設置する。
【００１２】
図３から図５は、本考案第一実施形態によるモデルガンの手動／電動制御構造において、組合せ後の手動制御構造を示す断面概略図（一）、（二）、（三）であり、図８、図９は、本考案第一実施形態によるモデルガンの手動／電動制御構造において、組合せ後の手動制御構造のストッパー片とスライドボードの作動を示す断面概略図（一）、（二）である。使用時には、図３から図５及び図８、図９に示すように、使用者が引き金ノブ１７をガン管３１先端の方向へと動かすと、それは押抵板１３を連動し回す。これにより、押抵板１３の凸部１３１は、制御棒１２の上凸部１２１を押動し、下方へと下凸部１２２まで移動し、対応作動し、このようにして、制御棒１２は、図３に示すように先端へと移動する。制御棒１２中央辺り部分の下方へと湾曲した斜面１２３は、スライド棒１５をちょうど下方へとスライド移動させることができ、これによりスライド棒１５はピストン２２側面の欠口２２４による係合固定を離れる。この時、ガンロックプルレバー２２６を引き、ピストン２２を連動し、後方へと移動させることができる。ピストン２２が後方へと、極限まで移動し、係合、定位されると、ストッパー片２６下端の斜角２６２は、引き金１１の傾斜部１１４とちょうど対応し、係合する。使用者が軽く引き金１１を引き、後方へと移動させると、引き金１１の傾斜部１１４はそれに従い、ストッパー片２６下端の斜角２６２を押し、発射動作を生じる。これにより、弾進入スライド道３１０ａ、３１０ｂからガン管３１に進入したプラスチック弾丸は、ガン管３１から発射される。使用者は引き金ノブ１７を、図４に示すように、後方へと動かすと、制御棒１２は前方へと移動し、スライド棒１５下端は上昇する。この時、スライド棒１５の上端は、ピストン２２の欠口２２４と係合し、ピストン２２の移動の手動制御を制限する。
【００１３】
図６、図７は、本考案第二実施形態によるモデルガンの手動／電動制御構造において、組合せ後の電動制御構造を示す断面概略図（一）、（二）である。図６、図７に示すように、使用者が引き金ノブ１７を後方へと動かすと、それは押抵板１３を連動し回す。これにより、押抵板１３の凸部１３１と、制御棒１２の上凸部１２１は完全に離れる。この時、引き金１１を軽く押すと、引き金１１の十字槽レール１１２の末端の挿入孔１１６は、電源スイッチ１８にちょうど対応し、引き金１１は後方へと移動し、電源スイッチ１８をオンにする。この時、電源はモーター４の回転を連動し、モーター４軸芯の歯部４１は、小伝動ギア２８とそれが噛み合う後歯部２８１を対応し、連動する。並びに前歯部２８２を経由し、それが対応し噛み合う大伝動ギア２９の歯部２９１まで動力を伝送し、大伝動ギア２９の伝動歯部２９２を経て、ピストン２２の下歯部２２３を駆動する。これによりピストンは連続性の往復快速移動を生じ、ガン管３１内のプラスチック弾丸を発射し、電動発射の機能を達成する。
【００１４】
手動であろうと、電動であろうと、使用者が弾を発射すると同時に、大伝動ギア２９はピストン２２の往復運動により元の位置に戻るため、大伝動ギア２９は慣性の法則により、高速空転を継続する。この回転の停止後に、大伝動ギア２９とピストン２２下方の下歯部２２３が、対応できず噛み合うことができない位置異常状態が発生しないよう、大伝動ギア２９の伝動歯部２９２と歯部２９１の根元位置には、凸部２９３を設置し、ピストン２２の下歯部２２３とスライド板２２５に対応させる。ピストン２２が元の位置を回復すると、大伝動ギア２９の凸部２９３は、ピストン２２のスライド板２２５とちょうど相互に接触し、大伝動ギア２９の継続空転を完全に停止させる。このようにして、歯と歯の位置異常を回避することができる。
【００１５】
本考案一実施形態によるモデルガンの手動／電動制御構造は、電動でモーターを駆動し、プラスチック弾丸を瞬間的に発射することができ、さらに電力を使い切ってしまった時には、手動方式に切り換えることができる。この際には、ピストン２２は予め復位させたバネ２３の弾力作用を受け、ガンロックスリーブ２１内の空気を急速に圧縮し発射し、手動による発射制御を達成することができる。すなわち、その制御構造は、単発発射と連続発射を切り換える機能を備え、産業上の利用価値、新規性、進歩性を確実に備えている。
【図面の簡単な説明】
【００１６】
【図１】本考案第一実施形態によるモデルガンの手動／電動制御構造において、組合せ後の構造を示す立体断面図である。
【図２】本考案第一実施形態によるモデルガンの手動／電動制御構造において、構造を示す立体分解図である。
【図３】本考案第一実施形態によるモデルガンの手動／電動制御構造において、組合せ後の手動制御構造を示す断面概略図（一）である。
【図４】本考案第一実施形態によるモデルガンの手動／電動制御構造において、組合せ後の手動制御構造を示す断面概略図（二）である。
【図５】本考案第一実施形態によるモデルガンの手動／電動制御構造において、組合せ後の手動制御構造を示す断面概略図（三）である。
【図６】本考案第二実施形態によるモデルガンの手動／電動制御構造において、組合せ後の電動制御構造を示す断面概略図（一）である。
【図７】本考案第二実施形態によるモデルガンの手動／電動制御構造において、組合せ後の電動制御構造を示す断面概略図（二）である。
【図８】本考案第一実施形態によるモデルガンの手動／電動制御構造において、組合せ後の手動制御構造のストッパー片とスライドボードの作動を示す断面概略図（一）である。
【図９】本考案第一実施形態によるモデルガンの手動／電動制御構造において、組合せ後の手動制御構造のストッパー片とスライドボードの作動を示す断面概略図（二）である。
【符号の説明】
【００１７】
１  制御部
１１  引き金  
１１１  凸柱
１１２  十字槽レール
１１３  柱棒
１１４  傾斜部
１１５  バネ  
１１６  挿入孔
１１７  フランジ
１１８  挿入孔
１２  制御棒  
１２１  上凸部
１２２  下凸部
１２３  斜面
１２４  凸部
１２５  端面
１３  押抵板
１３１  凸部
１３２  孔
１３３  ネジ
１３４  バネ
１３５  フック部
１４  ブレーキ
１４１  ガード板
１４２  凸部
１４３  軸部
１４４  バネ  
１５  スライド棒
１５１  凹縁
１６  定位板
１６１  凹部
１６２  スライド槽
１６３  凸部
１６４  バネ
１７  引き金ノブ
１７１  ネジ孔
１８  電源スイッチ
２  伝動部
２１  ガンロックスリーブ
２１１  槽孔  
２１１１  スライド槽
２１２  出口端
２１３  ストッパー部
２１４  翼板
２１５  突起
２１５１  孔  
２２  ピストン
２２１  槽孔
２２３  下歯部
２２２  凸部  
２２４  欠口
２２５  スライド板
２２６  ガンロックプルレバー
２２６１  長孔
２２６２  凸部
２３  ２４  バネ
２５  ピストン定位板
２５１  ２５２  柱体
２６  ストッパー片
２６１  凸部
２６２  斜角
２６３  湾部
２６４  バネ
２７  挟合片
２７１  階段
２８  小伝動ギア
２８１  後歯部
２８２  前歯部
２９  大伝動ギア
２９１  歯部
２９２  伝動歯部
２９３  凸部
２９４  軸孔
３  本体
３ａ  ３ｂ  左、右本体部
３１  ガン管
３１０ａ  ３１０ｂ  弾進入スライド道
３２ａ  ３２ｂ  モーター定位板
３２１ａ  ３２１ｂ  凹部
３２２ａ  ３２２ｂ  スライド部
３３  ３４  軸棒
３４１  軸台槽
３５ａ  ３５ｂ  左、右電池槽
３６ａ  ３６ｂ  ガード板
３７ａ  ３７ｂ  スライド道
３８ａ  ３８ｂ  ガイド板
３９ａ  ３９ｂ  スライド槽
４  モーター
４１  歯部
４２  凸部
【図１】
0003147511.tif 000003
【図２】
0003147511.tif 000004
【図３】
0003147511.tif 000005
【図４】
0003147511.tif 000006
【図５】
0003147511.tif 000007
【図６】
0003147511.tif 000008
【図７】
0003147511.tif 000009
【図８】
0003147511.tif 000010
【図９】
0003147511.tif 000011